(57)【特許請求の範囲】
【請求項１】
二の板状部材と、
柄と略直交するよう設けられて前記二の板状部材を連結する連結部と、
所定の平面に沿う位置角度と、当該所定の平面に対して略直交する位置角度とを切替可能に前記二の板状部材の各々を支持する角度切替部と、を備え、
前記角度切替部の夫々は、ヒンジ部を支点として所定以上の折り曲げ力を受けた場合に当該ヒンジ部を角として当該角度切替部を略直角の形状とし、当該略直角の形状を保持する一方、当該略直角の形状を取っているときに、当該略直角を広げようとする所定以上の力を受けた場合に、折り曲げを解除した状態で当該角度切替部を保持する単一の板状部材であり、
前記二の板状部材の各々は、当該板状部材の少なくとも一方の面部を覆う清掃用シートを把持する把持部と、当該板状部材の側部に設けられた複数の刷毛部材と、を備え、
前記二の板状部材が共に前記所定の平面に対して略直交する位置角度である場合、当該二の板状部材の各々に設けられた複数の刷毛部材の先端側が前記柄に対して同一方向へ向くことを特徴とする掃除具。
【請求項２】
前記二の板状部材又は前記柄の少なくとも一方は、他方に対して回転可能に設けられ、
前記把持部は、当該板状部材の両方の面部を覆う清掃用シートを把持することを特徴とする請求項１に記載の掃除具。
【請求項３】
前記把持部は、前記複数の刷毛部材が設けられた前記板状部材の側部とは異なる前記板状部材の側部に設けられ、前記清掃用シートの端部を把持することを特徴とする請求項１又は２に記載の掃除具。
【発明の詳細な説明】
【技術分野】
【０００１】
本発明は、掃除具に関する。
【背景技術】
【０００２】
取り替え自在な清掃用シートを本体に装着し、当該清掃用シートを床面や窓等の平面部に接触させた状態で柄を押動させることで清掃を行うことができる掃除具が知られている。
このような掃除具は、例えば図６に示すように、基部１０１と、基部１０１に対して着脱可能に設けられた着脱部１０２との間に清掃用シートの一部分を挟みこんで清掃用シートを把持させる（特許文献１参照）。
【先行技術文献】
【特許文献】
【０００３】
【特許文献１】特開２００２−１１９４５５号公報
【発明の概要】
【発明が解決しようとする課題】
【０００４】
しかしながら、従来の掃除具では、清掃用シートを用いた掃除のみを行うことができるに過ぎず、清掃用シートを用いた清掃と刷毛等を用いた清掃の両方を行いたい場合に、ユーザは清掃用シートのための掃除具と刷毛とをそれぞれ用意しなければならなかった。
【０００５】
本発明の課題は、清掃用シートを用いた清掃と刷毛を用いた清掃との両方を行うことが可能な掃除具を提供することである。
【課題を解決するための手段】
【０００６】
上記課題を解決するため、請求項１に記載の発明は、掃除具であって、二の板状部材と、
柄と略直交するよう設けられて前記二の板状部材を連結する連結部と、
所定の平面に沿う位置角度と、当該所定の平面に対して略直交する位置角度とを切替可能に前記二の板状部材の各々を支持する角度切替部と、を備え、
前記角度切替部の夫々は、ヒンジ部を支点として所定以上の折り曲げ力を受けた場合に当該ヒンジ部を角として当該角度切替部を略直角の形状とし、当該略直角の形状を保持する一方、当該略直角の形状を取っているときに、当該略直角を広げようとする所定以上の力を受けた場合に、折り曲げを解除した状態で当該角度切替部を保持する単一の板状部材であり、
前記二の板状部材の各々は、当該板状部材の少なくとも一方の面部を覆う清掃用シートを把持する把持部と、当該板状部材の側部に設けられた複数の刷毛部材と、を備え、
前記二の板状部材が共に前記所定の平面に対して略直交する位置角度である場合、当該二の板状部材の各々に設けられた複数の刷毛部材の先端側が前記柄に対して同一方向へ向くことを特徴とする。
【０００７】
請求項２に記載の発明は、請求項１に記載の掃除具であって、前記二の板状部材又は前記柄の少なくとも一方は、他方に対して回転可能に設けられ、前記把持部は、当該板状部材の両方の面部を覆う清掃用シートを把持することを特徴とする。
【０００８】
請求項３に記載の発明は、請求項１又は２に記載の掃除具であって、前記把持部は、前記複数の刷毛部材が設けられた前記板状部材の側部とは異なる前記板状部材の側部に設けられ、前記清掃用シートの端部を把持することを特徴とする。
【発明の効果】
【０００９】
請求項１に記載の発明によれば、二の板状部材の各々は、当該板状部材の少なくとも一方の面部を覆う清掃用シートを把持する把持部を有する。これによって、把持部に清掃用シートを把持させ、清掃用シートを床面や窓等の平面部に接触させた状態で柄を押動させることで、清掃用シートを用いた清掃を行うことができる。さらに、二の板状部材の各々は、複数の刷毛部材を備え、角度切替部により二の板状部材を共に所定の平面に対して略直行する位置角度とした場合、当該二の板状部材の各々に設けられた複数の刷毛部材の先端側が柄に対して同一方向へ向く。このため、二の板状部材の各々に設けられた複数の刷毛部材の先端側を、一の床面等に向けることができる。よって、ユーザは、複数の刷毛部材の先端側を床面等に対して摺動させることにより、掃除具を刷毛として用いて清掃を行うことができる。清掃用シートを用いた清掃と刷毛を用いた清掃との両方を行うことが可能な掃除具を提供することができる。
【００１０】
請求項２に記載の発明によれば、二の板状部材又は柄の少なくとも一方は、他方に対して回転可能に設けられる。そして、把持部は、当該板状部材の両方の面部を覆う清掃用シートを把持する。よって、二の板状部材の各々を覆う清掃用シートを床面等に接触させて清掃を行うにあたり、清掃用シートのうち板状部材の一方の面部を覆う部分を用いて清掃を行った後、板状部材と柄とを１８０度回転させ、清掃用シートのうち板状部材の他方の面部を覆う部分を床面等に接触させて清掃を行うことにより、板状部材の両方の面部を覆う清掃用シートの大部分を清掃に用いることができ、清掃用シートをより無駄なく利用可能な掃除具を提供することができる。
加えて、柄が二の板状部材とが所定の回転角度の関係となる場合に、二の板状部材の面部が沿う平面である所定の平面に沿うので、所定の平面に対する掃除具の厚みを最小限に留めることができ、狭い隙間等にも容易に掃除具を収納することが可能となる。
【００１１】
請求項３に記載の発明によれば、清掃用シートの端部を把持する把持部を当該板状部材の側部に備えることにより、清掃用シートのうち、板状部材による把持のために費やされる部分を、板状部材の側部で把持される端部のみとすることができ、清掃用シートをより無駄なく利用することができる。
【図面の簡単な説明】
【００１２】
【図１】本発明の一実施形態である掃除具を示す斜視図である。
【図２】板状部材のスリットによる清掃用シートＳの把持例を示す図である。
【図３】二の板状部材がＸ−Ｙ平面に沿う位置角度を取っている掃除具を示す図である。
【図４】二の板状部材がＸ−Ｙ平面に対して略直行する位置角度を取っている掃除具を示す図である。
【図５】板状部材のスリットによる清掃用シートＳの把持例であって、図２とは異なる例を示す図である。
【図６】従来の掃除具を示す斜視図である。
【発明を実施するための形態】
【００１３】
以下に、本発明について、図面を用いて具体的な態様を説明する。ただし、発明の範囲は、図示例に限定されない。
【００１４】
図１は、本発明の一実施形態である掃除具１を示す斜視図である。
掃除具１は、二の板状部材２０、２０と、二の板状部材２０、２０の間に介在して二の板状部材２０、２０を連結する連結部４と、二の板状部材２０、２０の各々の側部から延設するよう設けられて、板状部材２０と連結部４との間に介在する角度切替部１０、１０と、連結部４と回転可能に係合する係合部３と、係合部３から延設され、連結部４に対して略直交するよう設けられた柄２と、を備える。
【００１５】
連結部４は、棒状の部材であり、その長手方向（例えば図１に示すＹ方向）に直交する断面形状が円状である所謂円柱状の部材である。連結部４の長手方向の両端は、角度切替部１０、１０に固定されている。
【００１６】
係合部３は、円状の連結部４の外周の少なくとも一部分を覆うよう設けられた円筒状の部材であり、その円筒状の内周部が連結部４と摺接する。係合部３と連結部４とは、連結部４の中心軸を回転軸として、互いに回転角度を変更可能に設けられる。なお、連結部４の中心軸とは、連結部４の長手方向に沿い、かつ、連結部４の断面の円の中心を通る軸線をさす。
【００１７】
柄２は、棒状の部材であり、その一端が係合部３に固定されている。二つの板状部材２０は一対となっており、連結部４により、その面部が共に所定の平面（例えば図１に示すＸ−Ｙ平面）に沿う位置角度で連結されている。このため、係合部３と連結部４とを介し、柄２と二つの板状部材２０、２０とは互いに回転可能に設けられており、例えば、係合部３に対して連結部４を回転させた場合、二の板状部材２０、２０は共に、その面部が同一の平面に沿う状態を保持して柄２に対して回転する。
【００１８】
さらに、柄２の長手方向に沿った軸線は、所定の平面に沿う回動角度を取ることができ、この場合、柄２と二の板状部材２０、２０は、一直線上に位置する。
なお「柄２と二の板状部材２０、２０が一直線上に位置する」とは、二の板状部材２０、２０の各々が有する表裏の関係にある二の面部同士の間を通る中間線と、柄２の長手方向に沿った軸線とが、所定の方向（例えば図１に示すＡ方向）から見てほぼ重なることをさす。
【００１９】
板状部材２０の各々は、スリット２１を有する。
スリット２１は、板状部材２０の側部に設けられた隙間であり、図２に示すように、当該隙間に清掃用シートＳの端部を挿通させて板状部材２０の内側へ入り込ませることができる。清掃用シートＳは、その端部がスリット２１に挿通されることで、スリット２１により把持される。
なお、本実施形態の板状部材２０は、例えば可撓性及び弾性を有するプラスチック等の樹脂製であり、その内部は空洞である。スリット２１により、清掃用シートＳの端部を板状部材２０の内側へ入り込ませることができる。
【００２０】
図２に示すように、板状部材２０の外周に沿って清掃用シートＳを一周させ、かつ、スリット２１に清掃用シートＳの両端を把持させることで、スリット２１は、板状部材２０の両方の面部を覆う清掃用シートＳを把持する把持部として機能する。
なお「板状部材２０の外周に沿って清掃用シートＳを一周させる」とは、例えば、スリット２１が設けられた板状部材２０の側部側から、所定の平面に沿う一方向（例えばＹ方向）について反対側に位置する側部側にかけて、板状部材２０の一方の面部の外周面を覆い、さらに反対側の側部側からスリット２１が設けられた側部側へ板状部材２０の他方の面部を覆うように、清掃用シートＳにより板状部材２０の両方の面部を覆うことをさす。
【００２１】
ユーザは、例えば図１に示すように、柄２を所定の平面に対して立設させ、清掃用シートＳのうち板状部材２０の一方の面部を覆う部分を床面等に接触させた状態で柄２を押動させることで、床面等を清掃することができる。さらに、当該一方の面部を覆う清掃用シートＳが汚れた場合等には、柄２及び係合部３に対して板状部材２０を１８０度回転させ、清掃用シートＳのうち板状部材２０の他方の面部を覆う部分を床面等に接触させることで、板状部材２０の両方の面部を覆う清掃用シートＳの大部分を清掃に用いることができる。
【００２２】
また、板状部材２０の各々は、繊維束２２を有する。
繊維束２２は、角度切替部１０が設けられた板状部材２０の側部の反対側の側部に向かってその一端が延設された複数の刷毛部材により構成される。つまり、スリット２１が設けられる側部と、繊維束２２が設けられる側部とは異なる。繊維束２２は、床面等に対して摺動することにより、刷毛や箒、モップ等の集塵掃除具として機能する。
なお、「角度切替部１０が設けられた板状部材２０の側部の反対側の側部」とは、例えば、角度切替部１０が設けられた板状部材２０の側部に対して、所定の平面に沿い、かつ、一方甲（Ｙ方向）と直交する他方向（例えばＸ方向）について、逆側に位置する板状部材２０の側部をさす。
【００２３】
角度切替部１０は、板状部材２０の位置角度を、所定の平面に対して略直行する位置角度に切り替える機能を有する。
図１、図３及び図４を用いて、角度切替部１０による板状部材２０の位置角度の切替について説明する。
図１、図３に示すように、板状部材２０が所定の平面に沿う位置角度である場合、板状部材２０の面部を覆う清掃用シートＳを床面等に接触させた状態で柄２を押動させることで、ユーザは床面を清掃することができる。
【００２４】
一方、図４に示すように、二の板状部材２０、２０の位置角度を共に、所定の平面に対して略直行する位置角度に切り替えることで、二の板状部材２０、２０の各々に設けられた繊維束２２の先端側が係合部３に対して同一方向（例えば図４に示す下側）へ向く。さらに、板状部材２０の位置角度を、所定の平面に対して略直行する位置角度とした場合、角度切替部１０の反対側の側部に設けられた繊維束２２の先端側を、柄２の長手方向の軸線の延長線上に位置させることができる。つまり、板状部材２０の各々から延設されるよう設けられた角度切替部１０、１０により、二の板状部材２０、２０を所定の平面に対して略直行する位置角度に切り替えることで、ユーザは、繊維束２２の先端側を床面等に摺動させるように取り扱うことができ、掃除具１を刷毛や箒、モップ等として用いて清掃を行うことができる。
【００２５】
本実施形態の角度切替部１０は、板状部材２０の側部から盛り上がるように弧を描く半円状の板状部材である。また、角度切替部１０は、例えば可撓性及び弾性を有するプラスチック等の樹脂製であり、板状部材２０の角度切替の際に折れ曲がりを容易にするヒンジ部１１を有する。
【００２６】
図示しないが、角度切替部１０は、ヒンジ部１１を支点として所定以上の折り曲げ力（例えば図４の矢印Ｖに示す折り曲げ力）を受けた場合に、ヒンジ部１１を角として角度切替部１０を略直角の形状とし、当該略直角の形状を保持する弾性部を有する。弾性部は、図４に示すように、角度切替部１０が折り曲げられて略直角の形状を取っているときに、当該略直角を広げようとする所定以上の力（例えば図４の矢印Ｗに示す力）を受けた場合に、図３に示すように、折り曲げを解除した状態で角度切替部１０を保持する。
角度切替部１０は、連結部４と協働して、折り曲げを解除した状態のときに板状部材２０の位置角度を、所定の平面に沿う位置角度で保持し、略直角の形状のときに板状部材２０の位置角度を、所定の平面に対して略直行する位置角度で保持する。
【００２７】
以上のように、本実施形態の掃除具１によれば、スリット２１が板状部材２０を覆う清掃用シートＳを把持するので、清掃用シートＳを床面等に接触させた状態で柄２を押動させることで、清掃用シートＳを用いた清掃を行うことができる。さらに、角度切替部１０、１０により二の板状部材２０、２０を共に所定の平面に対して略直行する位置角度とした場合、当該二の板状部材２０、２０の各々に設けられた繊維束２２を構成する複数の刷毛部材の先端側が係合部に対して同一方向へ向く。このため、二の板状部材２０、２０の各々に設けられた繊維束２２を一の床面等に向けることができる。よって、ユーザは、繊維束２２の先端側を床面等に対して摺動させることにより、繊維束２２を刷毛や箒、モップ等として用いて清掃を行うことができる。よって、掃除具１は、清掃用シートＳを用いた清掃と掃き掃除の両方を行うことが可能な掃除具として機能する。
【００２８】
さらに、二の板状部材２０、２０が所定の平面に沿う位置関係で連結部４により連結され、係合部３と連結部４とが互いに回転可能に係合するので、二の板状部材２０、２０は、同一の平面に沿う位置関係を維持して係合部３に対して回転することができる。このため、二の板状部材２０、２０の各々を覆う清掃用シートＳを床面等に接触させて清掃を行うにあたり、清掃用シートＳのうち板状部材２０の一方の面部を覆う部分を用いて清掃を行った後、柄２と板状部材２０とを１８０度回転させ、清掃用シートＳのうち板状部材２０の他方の面部を覆う部分を床面等に接触させて清掃を行うことにより、板状部材２０の両方の面部を覆う清掃用シートＳの大部分を清掃に用いることができ、清掃用シートＳをより無駄なく利用可能な掃除具を提供することができる。
加えて、係合部３は、連結部４の回転軸に対して略直交する方向に延設された柄２を備えるので、ユーザは柄２を把持して掃除具を取り扱うことができ、掃除具１の取り扱いが容易となる。さらに、柄２は、係合部３と二の板状部材２０、２０とが所定の回転角度の関係となる場合に所定の平面に沿うので、所定の平面に対する掃除具１の厚みを最小限に留めることができ、狭い隙間等にも容易に掃除具１を収納することが可能となる。
【００２９】
さらに、清掃用シートＳの端部を把持するスリット２１を当該板状部材２０の側部に備えることにより、清掃用シートＳのうち、板状部材２０による把持のために費やされる部分を、板状部材２０の側部で把持される端部のみとすることができ、清掃用シートＳをより無駄なく利用することができる。
【００３０】
なお、本発明は、上記の各実施形態に限定されることなく、本発明の趣旨を逸脱しない範囲において、種々の改良並びに設計の変更を行っても良い。
【００３１】
例えば、角度切替部１０を、軸部を中心に回動可能に設けられた蝶番状の構造のようにしてもよい。また、係合部３と連結部４を介した構造に限らず、柄２と二の板状部材２０、２０とが互いに回転可能に設けられる構造であればよい。また、連結部４は、一対となった板状部材２０、２０の回転角度を個別に変更可能に連結する構造であってもよい。
また、連結部４は、円状の外周の内側が空洞（所謂円筒状）であってもよい。
【００３２】
また、図５に示すように、清掃用シートＳの把持部を板状部材２０の複数個所に設けてもよい。
図５の例では、板状部材２０の所定の平面に沿う一方向（例えばＹ方向）の両端にスリット２１、２１を設け、板状部材２０の面部の各々を個別の清掃用シートＳ、Ｓで覆っている。清掃用シートＳは、その両端を異なるスリット２１、２１に把持されることで、板状部材２０に装着される。
【００３３】
図５に示す例において、個別の清掃用シートＳ、Ｓの種類や性質を異なるものとしてもよい。例えば、板状部材２０の一方の面部を覆う清掃用シートＳをウェットシートとし、他方の面部を覆う清掃用シートをドライシートとすること等が挙げられる。この場合、清掃の用途に応じて複数の清掃用シートを使い分けることができる。
【００３４】
また、上記実施形態のスリット２１は、角度切替部１０が設けられた板状部材２０の側部に対してＸ−Ｙ平面上で直交する位置関係にある板状部材２０の別の側部に設けられているが、スリット２１の配置は、当該位置に限らない。スリット２１は、板状部材２０の側部であって、板状部材２０の側部に設けられた他の構成の機能を害しない位置に設けられることが望ましい。
【００３５】
また、スリット２１の溝の形状（軌跡）は直線に限らない。例えば、板状部材２０の側部に、所定の平面に沿って刻まれたギザギザ等の波形状の溝を設け、当該波形により生じた噛合構造に清掃用シートＳを把持させるようにしてもよい。また、溝に限らず、他の物理的構造により板状部材２０の側部で清掃用シートＳを把持する把持部を設けてもよい。また、把持部を設ける位置は板状部材２０の側部に限らないが、板状部材２０の面部を覆うことに用いられない清掃用シートＳの面積が可能な限り小さくなるように設けることが望ましい。
【００３６】
また、繊維束２２を設ける位置を、角度切替部１０が設けられた板状部材２０の側部に対してＸ−Ｙ平面上で直交する位置関係にある板状部材２０の別の側部としてもよい。この場合、係合部３と連結部４との回動角度を、柄２と二の板状部材２０、２０とを一直線上に位置させる回動角度とすることで、ユーザは柄２を把持して繊維束２２を床面等に接触させたうえで掃除具１を揺動させることにより、掃除具１を刷毛や箒、モップ等のように用いることができる。
【符号の説明】
【００３７】
２    柄
３    係合部
４    連結部
１０  角度切替部
１１  ヒンジ部
２０  板状部材
２１  スリット
２２  繊維束
Ｓ    清掃用シート
【図１】
0005761992.tif 000002
【図２】
0005761992.tif 000003
【図３】
0005761992.tif 000004
【図４】
0005761992.tif 000005
【図５】
0005761992.tif 000006
【図６】
0005761992.tif 000007